(57)【特許請求の範囲】
【請求項１】
収納袋の開口に配置されて上記収納袋内の空気を排出するのに用いる収納袋の排気弁において、
互いに結合されたベースおよびカバーと、
上記ベースおよび上記カバーの間に介在し収納袋内への空気の侵入を阻止する逆止弁と、
上記ベースよりも大径の多孔質体と、を備え、
上記ベースは、弁口を有し、
上記カバーは、掃除機の吸気ノズルに連通可能な排気口を有し、
上記ベースの下面に、上記弁口から放射状に延びる多数のリブが形成され、
隣接する上記リブ間に、上記弁口に連通する放射状の通気路が形成され、
上記多孔質体は、上記リブの少なくとも下方を覆い、
上記収納袋内の空気を排出する経路として、上記多孔質体の多孔から、上記リブ間の上記通気路、上記弁口および上記排気口を順次に介して、上記収納袋外へ排出される経路が含まれるようにしてあり、
上記多孔質体に設けられた挿通孔を挿通して、上記多孔質体を上記ベースに取り付けるための取付具を備え、
上記取付具は上記ベースに取り外し可能に取り付けられていることを特徴とする収納袋の排気弁。
【請求項２】
請求項１において、上記取付具は、第１および第２の端部を有し、上記多孔質体の上記挿通孔に挿通された挿通軸と、上記挿通軸の上記第１の端部に設けられ、上記リブに係合する係合部と、上記挿通軸の上記第２の端部に設けられ上記多孔質体を押さえる押圧板と、を含むことを特徴とする収納袋の排気弁。
【請求項３】
請求項１または２において、上記多孔質体に、ダニを誘引するダニ誘引剤が保持されていることを特徴とする収納袋の排気弁。
【発明の詳細な説明】
【技術分野】
【０００１】
本発明は、収納袋内の空気を排出するのに用いる収納袋の排気弁に関する。
【背景技術】
【０００２】
通常、寝具類、衣類などは、保管時に大きな収納空間を占め、湿気によって収納物が劣化したり、カビが発生したり、異臭が発生したり、虫がつくなど、保管上の不具合がある。
この種の寝具類及び衣類などを安全でかつ効率よく保管するために開発されたものが、真空吸引により圧縮可能な収納袋である。通常、この種の収納袋の開口には、排気口を有する排気弁が設けられている。上記排気口に電気掃除機の吸気ノズルをつなぎ、電気掃除機の吸引力によって、収納袋内の空気を外部に排出して、寝具類や衣類の体積の低減を図っている。
【０００３】
ところが、吸引力が排気口の下方の収納物の表面に集中的に作用して、上記表面が排気口の入口に吸着し、その結果、収納袋内の空気の排出に、多大な時間を要するという問題がある。また、電気掃除機のモータの負荷が大きくなり、電気掃除機の耐久性に影響するという問題がある。
そこで、上記収納物の上記表面が上記排気口の入口を塞ぐことを防止するために、特許文献１では、排気弁のベースの下面に多数のリブを設けて上記リブ間に空気通路を形成する方式が提案されている。また、特許文献１では、上記リブを廃止し、上記リブ間の空気通路に代えて、スポンジや不織布等からなる多孔質板を設ける方式が提案されている。
【０００４】
一方、布団等に生息するダニやダニの死骸片が、アレルゲンとして、アレルギーや各種の疾病を引き起こすという問題がある。そこで、特許文献２では、ダニを捕獲するために、表裏２層の外シート層の間に、ダニ誘引剤と粘着剤とからなる粘着性を有する誘引層を配置した防ダニシートが提案されている。
【先行技術文献】
【特許文献】
【０００５】
【特許文献１】特許第３６８１３７９号公報（明細書の第２０段落、第２１段落、第２９段落、第３０段落）
【特許文献２】特許第３８４８８４２号公報
【発明の概要】
【発明が解決しようとする課題】
【０００６】
しかしながら、前者の方式のようにリブ間の空気通路のみを介して空気吸引する場合、収納物（例えば布団）の表面の生地が、リブ間の空気通路内に入り込み易い。上記生地が入り込んだ場合、上記生地によって空気通路の一部が塞がれるので、収納袋内の空気の排出に時間を要する。
また、後者の方式のようにベースの下面のリブを廃止し、リブ間の空気通路に代えて、多孔質板を用いる場合も、実際に実験してみると、やはり収納袋内の空気の排出に時間を要することが判明した。本願発明者は、多孔質板と排気口の入口とを連通する領域の面積が狭いため、これが原因となって排気の流量が制限されているのではないかと考えた。
【０００７】
一方、特許文献２の防ダニシートは、誘引剤により誘引されたダニを粘着剤で捕獲することにより、一旦捕獲したダニが逃げ出さないようにしている。このため、一旦使用した防ダニシートは、そのまま廃棄するようにしており、使い捨てである。したがって、エコロジーに反する。
本発明の目的は、短時間で排気が行える収納袋の排気弁を提供することである。また、本発明の目的は、収納袋内のダニを効率良く排出することが可能であり且つエコロジーに適した収納袋の排気弁を提供することである。
【課題を解決するための手段】
【０００８】
上記目的を達成するため、請求項１の発明は、収納袋（２）の開口（３）に配置されて上記収納袋内の空気を排出するのに用いる収納袋の排気弁（１）において、互いに結合されたベース（４）およびカバー（５）と、上記ベースおよび上記カバーの間に介在し収納袋内への空気の侵入を阻止する逆止弁（６）と、上記ベースよりも大径の多孔質体（７）と、を備え、上記ベースは、弁口（９）を有し、上記カバーは、掃除機の吸気ノズルに連通可能な排気口（２３，２４）を有し、上記ベースの下面（４ｂ）に、上記弁口から放射状に延びる多数のリブ（１６Ａ，１６Ｂ，１７）が形成され、隣接する上記リブ間に、上記弁口に連通する放射状の通気路（１８）が形成され、上記多孔質体は、上記リブの少なくとも下方を覆い、上記収納袋内の空気を排出する経路として、上記多孔質体、上記リブ間の上記通気路、上記弁口および上記排気口を順次に介して、上記収納袋外へ排出される経路が含まれるようにしてあり、上記多孔質体に設けられた挿通孔（２６）を挿通して、上記多孔質体を上記ベースに取り付けるための取付具（８）を備え、上記取付具は、上記リブに取り外し可能に取り付けられていることを特徴とする。
【０００９】
また、請求項２の発明は、上記取付具は、第１および第２の端部（２７ａ，２７ｂ）を有し上記多孔質体の上記中心孔に挿通された挿通軸（２７）と、上記挿通軸の上記第１の端部に設けられ、上記リブに係合する係合部（２８）と、上記挿通軸の上記第２の端部に設けられ上記多孔質体を押さえる押圧板（２９）と、を含むことを特徴とする。
【００１０】
また、請求項３の発明は、上記多孔質体に、ダニを誘引するダニ誘引剤が保持されていることを特徴とする。
なお、上記において、括弧内の英数字は、後述の実施形態における対応構成要素の参照符号を表すものであるが、これらの参照符号により特許請求の範囲を限定する趣旨ではない。
【発明の効果】
【００１１】
上記請求項１の発明によれば、上記多孔質体が、上記ベースよりも大径をなして、上記リブの下方を覆っているので、収納物（例えば布団）の表面の生地がリブ間に入り込んで、上記生地がリブ間の通気路の一部を閉塞したり狭めたりすることがない。しかも、弁口の入口と多孔質体とを連通するための、リブ間の通気路が、非常に広い領域で多孔質体と連通するので、多孔質体を通しての排気を格段に円滑にすることができる。したがって、確実に短時間で排気を行うことができる。
【００１２】
また、上記取付具を上記多孔質体の上記中心孔に挿通させて、上記多孔質体を上記ベースに容易に取り付けることができる。
また、上記取付具を容易に上記ベースから取り外すことができる。したがって、多孔質体を容易に取り外すことができ、取り外した多孔質体に対して清掃等のメンテナンス作業を容易に行うことができる。また、使い古した多孔質体を新品の多孔質体に容易に取り替えることができる。
【００１３】
上記請求項２の発明によれば、上記取付具の上記挿通軸の上記第１の端部の上記係合部を上記リブに係合させた状態で、上記挿通軸の上記第２の端部の上記押圧板で上記多孔質体を押さえることにより、上記多孔質体を上記ベースに容易に取り付けることができる。また、多孔質体の保持が確実である。
上記請求項３の発明によれば、上記多孔質体にダニ誘引剤が保持されているので、下記の利点がある。例えば、収納袋内に収納物を収納した状態で、所定時間放置しておいた後、電気掃除機による空気吸引を行うことにより、放置中にダニ誘引剤に誘引されて多孔質体内に集まってきたダニをそのまま電気掃除機で吸引し、ダニを収納袋外へ容易に排出することができる。したがって、収納物からのダニ排除に非常に有効である。また、空気吸引後は、ダニが多孔質体に残存しないので、ダニ誘引剤の誘引効果が持続する限り、多孔質体を繰り返して使用することができる。なお、本発明では、特許文献２のダニ捕獲シートに用いられているような粘着剤は不要であり、製造コストを安くすることができる。
【図面の簡単な説明】
【００１４】
【図１】本発明の一実施の形態の収納袋の排気弁の断面図である。
【図２】排気弁の分解斜視図である。
【図３】ベースの下面図である。
【図４】使用時の排気弁の断面図である。
【発明を実施するための形態】
【００１５】
本発明の好ましい態様を添付図面を参照しつつ説明する。
図１は本発明の一実施の形態の収納袋２の排気弁１の断面図であり、図２は排気弁１の分解斜視図である。図１を参照して、排気弁１は、収納袋２の開口３に設けられ、収納袋２内を空気を排出するのに用いられる。排気弁１は、収納袋２の開口３の周縁３ａを内外から挟持するベース４およびカバー５と、ベース４およびカバー５の間に介在し、収納袋２内が負圧になってときに収納袋２内への空気の侵入を阻止するする逆止弁６と、ベース４の少なくとも下方を覆う、ベース４よりも大径の多孔質体７と、多孔質体７をベース４に取り付けるための取付具８とを備えている。
【００１６】
ベース４は、上面４ａと、下面４ｂと、上面４ａおよび下面４ｂに開口する弁口９とを有している。図１および図２に示すように、弁口９の中央部から上方に突出する平坦な弁保持部１０が設けられている。弁保持部１０は、弁口９内に放射状（例えば十字状）に延びる支持リブ１１によって支持されている。したがって、弁口９は、放射状の支持リブ１１によって複数に区画されている。
【００１７】
逆止弁６は、例えばシリコーンゴム等のゴムからなる弾性体により形成されている。逆止弁６は、弁保持部１０によって受けられた概ね平坦な中央部１２と、中央部１２から下方に延びる円錐状部１３とを備えている。
通常時は、図１に示すように、逆止弁６の円錐状部１３の周縁１３ａが、ベース４の上面４ａにおいて、弁口９の周縁９ａ（弁座に相当）に、弾性的に接触している。逆止弁６は、収納袋２内が負圧になったときに、収納袋２外の大気圧によって、弁口９の周縁９ａ（弁座に相当）に強く押圧されることにより、弁口９を閉塞する。これにより、逆止弁６は、収納袋２内への空気の流通を阻止するように機能する。
【００１８】
図１および図２に示すように、ベース４の上面４ａの外周縁には、環状凹部１４が形成されている。この環状凹部１４に、カバー５の外周縁に設けられた環状フランジ１５を結合させて、ベース４とカバー５を一体化する。このときに、環状凹部１４および環状フランジ１５の間に、収納袋２の開口３の周縁３ａを挟持するようにしている。
図３に示すように、ベース４の下面４ｂには、弁口９を中心として放射状に延びる多数のリブ１６Ａ，１６Ｂ，１７が、下方に突出するように一体に設けられている。リブ１６Ａ，１６Ｂの高さが、リブ１７の高さよりも高くされている。高さの高いリブ１６Ａ，１６Ｂと高さの低いリブ１７は、周方向に交互に並んでいる。
【００１９】
また、各リブ１６Ａ，１６Ｂ，１７の径方向外端は、同方向に傾斜されており、これにより、電気掃除機による空気吸引時にリブ１６Ａ，１６Ｂ，１７間に収納物の生地が入り込むことを、より確実に防止することができるという利点がある。
隣接するリブ１６Ａ，１６Ｂおよびリブ１７間に、弁口９から放射状に延びる通気路１８が形成されている。図１に示すように、この通気路１８の下方を多孔質体７が覆っている。
【００２０】
図３に示すように、高さの高い複数のリブ１６Ａ，１６Ｂのうちリブ１６Ａは、十字状に交差する状態で、上記支持リブ１１に連続している。また、上記十字状に交差する上記複数のリブ１６Ａの内端は、残りのリブ１６Ｂの内端やリブ１７の内端よりも径方向内方へ延び、被係合部１９を形成している。これらの被係合部１９に、多孔質体７を取り付けるための取付具８の係合部としてのスリット２８が係合されるようになっている。
【００２１】
図２に示すように、カバー５は、環状の主体部２０と、主体部２０の中心に配置され主体部２０と放射状の連結片２１によって連結された円形ドーム２２と、主体部２０および円形ドーム２２の間に形成され、環状に配列された複数の円弧状の第１排気口２３と、円形ドーム２２に環状に配列された複数の円孔からなる第２排気口２４とを有している。
図１に示すように円形ドーム２２は逆止弁６と対向している。円形ドーム２２の中央部に設けられた受け部２５が、逆止弁６の中央部１２を受けている。すなわち、逆止弁６の中央部１２が、カバー５の円形ドーム２２の受け部２５とベース４の弁保持部１０との間に挟持されている。円形ドーム２２に設けられた第２排気口２４は、逆止弁６の円錐状部１３に、上下方向に対向する位置に配置されている。
【００２２】
図４に示すように、カバー５の表面に電気掃除機のノズル３０を押し当てて、空気吸引したときに、円形ドーム２２の第２排気口２４からの空気吸引によって、逆止弁６の円錐状部１３が、円形ドーム２２の内面に吸着され、これにより、第２排気口２４が閉塞されるとともに、弁口９が、第１排気口２３を介して収納袋２外へ開放されるようになっている。
【００２３】
多孔質体７としては、多数の連続気泡を有するスポンジ、樹脂等の発泡体、不織布、ニードルパンチされた織布、網状体、多孔質シート等を例示することができる。多孔質体７には、公知のダニ誘引剤が担持されていてもよい。ダニ誘引剤としては、例えばフルーツエキスを用いてなるフェロモンフレーバーを用いることができる。多孔質体７にダニ誘引剤を保持する方法としては、例えば液状にされたダニ誘引剤を多孔質体に含浸させて保持する方法がある。
【００２４】
多孔質体７には、挿通孔としての中心孔２６が形成されている。一方、取付具８は、多孔質体７の中心孔２６を挿通して、多孔質体７をベース４に取り付けるようにしている。  具体的には、取付具８は取付筒２７を有しており、その取付筒２７は、第１の端部２７ａと、第２の端部２７ｂとを有している。取付筒２７の第１の端部２７ａには、ベース４の上記十字状に配置されたリブ１６Ａの被係合部１９に、取り外し可能に係合する係合部としてのスリット２８が設けられている。取付筒２７の第１の端部２７ａの外周は、リブ１６Ｂの内端に嵌合するようになっている。また、取付筒２７の第２の端部２７ｂには、多孔質体７を押さえる押圧板２９が設けられている。
【００２５】
本実施の形態によれば、多孔質体７が、ベース４よりも大径をなして、リブ１６Ａ，１６Ｂ，１７の少なくとも下方（図４に示す吸引時には下方および側方）を覆っているので、収納物（例えば布団）の表面の生地がリブ１６Ａ，１６Ｂ，１７間に入り込むことがない。したがって、上記生地がリブ１６Ａ，１６Ｂ，１７間の通気路１８を閉塞したり狭めたりすることがない。しかも、ベース４の弁口９の入口と多孔質体７とを連通するための、リブ１６Ａ，１６Ｂ，１７間の通気路１８が、非常に広い領域で多孔質体７と連通するので、多孔質体７を通しての排気を格段に円滑にすることができる。したがって、確実に短時間で排気を行うことができる。
【００２６】
収納袋２内の空気を排出する経路としては、上述のように、多孔質体７から、リブ１６Ａ，１６Ｂ，１７間の通気路１８、弁口９および第１排気口２３を順次に介して、収納袋２外へ排出される経路が主であるが、多孔質体７を介さずに通気路１８に直接至る経路が一部に存在していてもよい。
また、取付具８を多孔質体７の挿通孔としての中心孔２６に挿通させて、多孔質体７をベース４に容易に取り付けることができる。具体的には、取付具８の取付筒２７を多孔質体７の中心孔２６に挿通させて、取付筒２７の第１の端部２７ａの係合部としてのスリット２８を、十字状のリブ１６Ａの被係合部１９に係合させた状態で、取付筒２７の第２の端部２７ｂの押圧板２９で多孔質体７を押さえる。これにより、多孔質体７をベース４に容易に取り付けることができる。また、多孔質体７を押圧板２９で押さえているので、多孔質体７の保持が確実である。
【００２７】
また、係合部２８が、十字状に配置されたリブ１６Ａに取り外し可能に係合しているので、取付具８を容易にベース４から取り外すことができる。したがって、多孔質体７をベース４から容易に着脱することができ、多孔質体７に対する清掃等のメンテナンス作業を容易に行うことができる。また、使い古した多孔質体を新品の多孔質体に容易に取り替えることができる。
【００２８】
また、多孔質体７に、ダニ誘引剤が保持されている場合には、下記の利点がある。例えば、収納袋２内に収納物を収納した状態で、所定時間放置しておいた後、電気掃除機による空気吸引を行うことにより、放置中にダニ誘引剤に誘引されて多孔質体７内に集まってきたダニを、収納袋２の空気吸引による圧縮時に、そのまま電気掃除機で吸引することが可能となる。したがって、収納物２からのダニ排除に非常に有効である。また、空気吸引後は、ダニが多孔質体７に残存しないので、ダニ誘引剤の誘引効果が持続する限り（例えば３〜6 ケ月）、多孔質体７の繰り返し使用が可能となり、エコロジーに適している。なお、本実施の形態では、特許文献２のダニ捕獲シートに用いられているような粘着剤は不要であり、製造コストを安くすることができる。
【００２９】
また、布団等を収納した直後の収納袋２を、電気掃除機による空気吸引により圧縮し、次いで、所定時間放置して、収納袋２内のダニを誘引により多孔質体７に捕集した後、再び電気掃除機により空気吸引してダニのみを排出してしまうようにしてもよい。
また、取付具８が取り外し可能なので、次のような使用も可能である。すなわち、取付具８を取り外すことによってベース４から取り外した多孔質体７を、収納前の布団等の下に敷いて所定時間放置し、多孔質体７にダニを誘引により捕集する。次いで、そのダニを捕集した多孔質体７を取付具８で再びベース４に取り付けた後、収納袋２に布団を収納する。その状態で、収納袋２の圧縮のために、電気掃除機で空気吸引するときに、電気掃除機でダニを吸引してしまうようにしてもよい。
【００３０】
本発明は上記実施の形態に限定されるものではなく、多孔質体７に、ダニの誘引剤を担持させなくてもよい。また、多孔質体７に、二次機能剤として、公知の防臭剤、芳香剤、除湿剤、抗菌剤および防虫剤の少なくとも一つを担持させてもよい。例えば多孔質体７としての不織布に、上記の二次機能剤の少なくとも１つを含浸させるようにしてもい。
【００３１】
また、上記実施の形態では、ベース４とカバー５との間に、収納袋２の開口３の周縁３ａを挟持していたが、これに限らず、収納袋２の開口３の周縁３ａをベース４の上面４ａに例えば融着等により固定し、カバー４を、開口３の径方向内方でベース４に係合するようにしてもよい。その他、本発明の特許請求の範囲で種々の変更を施すことができる。
【実施例】
【００３２】
＜実施例１＞
上記実施の形態の図１に示したリブ１６Ａ，１６Ｂ，１７間の通気路１８を有する排気弁１において、多孔質体７として、目付３００ｇ／ｍ2 で厚さ１２ｍｍある、ニードルパンチされた織布を用いた実施例１を作製した。
＜比較例１＞
上記実施の形態のリブ１６Ａ，１６Ｂ，１７を廃止し、実施例１の多孔質体と同じ多孔質体７をベース４の下面４ｂに取り付けた比較例１を作製した。
＜比較例２＞
実施例１から多孔質体７を取り除いた比較例２を作製した。
＜性能試験＞
実施例１、比較例１および比較例２について、電気掃除機の空気吸引による、収納袋内の空気の排出完了時間を測定したところ下記の結果を得た。
【００３３】
実施例１…３５秒
比較例１…４９秒
比較例２…７７秒
実施例１は、比較例２の約４５％の時間で空気の排出が完了している。また、実施例１は、比較例１の約７０％の時間で排出が完了している。これにより、実施例１が格段の効果を発揮することが実証された。
【符号の説明】
【００３４】
１…排気弁
２…収納袋
３…開口
３ａ…周縁
４…ベース
４ａ…上面
４ｂ…下面
５…カバー
６…逆止弁
７…多孔質体
８…取付具
９…弁口
９ａ…周縁
１０…弁保持部
１１…支持リブ
１２…中央部
１３…円錐状部
１４…環状凹部
１５…環状フランジ
１６Ａ，１６Ｂ，１７…リブ
１８…通気路
１９…被係合部
２０…主体部
２１…連結片
２２…円形ドーム
２３…第１排気口
２４…第２排気口
２５…受け部
２６…中心孔（挿通孔）
２７…取付筒
２７ａ…第１の端部
２７ｂ…第２の端部
２８…スリット（係合部）
２９…押圧板
【図１】
0005438656.tif 000002
【図２】
0005438656.tif 000003
【図３】
0005438656.tif 000004
【図４】
0005438656.tif 000005